(57)【要約】【課題】  ユーザが操作することなく映像データを作品毎に最適な画質で投影または表示する。【解決手段】  映画等の作品が書き込まれた記憶媒体から当該作品のデータが記憶媒体インタフェース部２１によって読み出され、読み出されたデータがデータ復号部２２によって映像データと制御データとに分離され、データ格納部３３に制御データに含まれる作品を識別するための識別データと映像データの画質を調整するための映像調整データとが対応付けられて格納されており、当該識別データに対応する映像調整データがデータ処理部３４によってデータ格納部３３から取得され、取得された映像調整データに基づいて映像調整部３５にて映像データの画質が調整され、画質を調整された映像データが投影部３６によって投影または表示される。【選択図】図１
2006349934.tif 000002
【特許請求の範囲】
【請求項１】
記憶媒体にデータとして格納された映像を示す映像データと、該映像データに関する制御データとを用いて映像を再生する際の画質を調整して投影または表示する映像調整システムであって、
前記映像データ及び制御データを前記記憶媒体から読み出すデータ読み出し装置と、
前記データ読み出し装置にて読み出された映像データを前記制御データに含まれる前記映像を識別するための識別データに基づいて前記映像データの画質を調整して投影または表示する映像提示装置とを有する映像調整システム。
【請求項２】
請求項１に記載の映像調整システムにおいて、
前記映像提示装置は、前記映像データの画質を調整するための映像調整データが前記識別データと対応付けられて格納される第１のデータ格納手段を有し、前記第１のデータ格納手段に格納された前記映像調整データを前記識別データを検索キーとして取得し、取得された映像調整データに基づいて前記映像データの画質を調整して投影または表示することを特徴とする映像調整システム。
【請求項３】
請求項１または請求項２に記載の映像調整システムにおいて、
前記映像提示装置は、ネットワークを介してサーバと接続し、前記サーバへ前記識別データを送信し、前記サーバから送信されてきた映像調整データに基づいて前記映像データの画質を調整して投影または表示し、
前記サーバは、前記映像調整データが前記識別データと対応付けられて格納される第２のデータ格納手段を有し、前記第２のデータ格納手段に格納された前記映像調整データを前記識別データを検索キーとして取得し、取得された映像調整データを前記映像提示装置へ送信することを特徴とする映像調整システム。
【請求項４】
記憶媒体にデータとして格納された映像を示す映像データと、該映像データに関する制御データとを前記記憶媒体から読み出すデータ読み出し装置に接続された映像提示装置であって、
前記データ読み出し装置にて読み出された映像データを前記制御データに含まれる前記映像を識別するための識別データに基づいて前記映像データの画質を調整して投影または表示する映像提示装置。
【請求項５】
請求項４に記載の映像提示装置において、
前記映像データの画質を調整するための映像調整データが前記識別データと対応付けられて格納される第１のデータ格納手段を有し、前記第１のデータ格納手段に格納された前記映像調整データを前記識別データを検索キーとして取得し、取得された映像調整データに基づいて前記映像データの画質を調整して投影または表示することを特徴とする映像提示装置。
【請求項６】
請求項４または請求項５に記載の映像提示装置が、前記映像データを投影するプロジェクタであることを特徴とする映像提示装置。
【請求項７】
請求項４または請求項５に記載の映像提示装置が、前記映像データを表示するディスプレイであることを特徴とする映像提示装置。
【請求項８】
記憶媒体にデータとして格納された映像を示す映像データと、該映像データに関する制御データとを用いて映像を再生する際の画質を調整して投影または表示する映像調整システムにおける映像調整方法であって、
前記映像データ及び制御データを前記記憶媒体から読み出す処理と、
前記制御データに含まれる前記映像を識別するための識別データに基づいて前記映像データの画質を調整して投影または表示する処理とを有する映像調整方法。
【請求項９】
請求項８に記載の映像調整方法において、
前記識別データに対応付けられた前記映像データの画質を調整するための映像調整データに基づいて前記映像データの画質を調整して投影または表示する処理を有することを特徴とする映像調整方法。
【発明の詳細な説明】
【技術分野】
【０００１】
本発明は、表示される映像の画質を調整する映像調整システム及び映像調整方法に関し、特にＤＶＤ（Digital Versatile Disk）ビデオディスクに格納された映像を表示する場合に当該映像の画質を調整する映像調整システム及び映像調整方法に関する。
【背景技術】
【０００２】
一般的にＤＶＤビデオディスクに格納された映画等の映像データについては、当該映像データが表示される際にその画質が作品毎に様々である。そのため、映像データを表示するための映像表示装置にて、Ａという作品が最適に表示される画質の調整を行った後、同じ映像表示装置においてそのままの画質でＢという作品を表示させると、明るさが暗かったり、１つの色が強調され過ぎたりして、Ｂという作品については最適な画質で表示されないことがある。このような場合、その作品が最適な画質で表示されるためには、表示されている作品を鑑賞するユーザがその都度画質調整メニュー等を用いて画質調整の操作を行う手間が必要となってしまう。
【０００３】
そこで調整操作を行う手間を省くために近年においては、最適な画質で映像データを表示するための複数の画質調整内容をメモリ等の格納手段に予め登録しておき、登録された複数の画質調整内容をユーザが読み出し、それらから最適な画質調整内容を選択するだけで選択された画質調整内容に基づいた画質での表示を可能とする方法が考えられている。
【０００４】
また、表示されるアプリケーションソフトの種類に応じた画質モードを予め設定しておき、当該アプリケーションが起動したときに設定された画質モードに基づいた画質で画像を自動的に表示する方法が考えられている（例えば、特許文献１参照。）。
【特許文献１】特開２００２−３４１８４３号公報
【発明の開示】
【発明が解決しようとする課題】
【０００５】
しかしながら、最適な画質で映像データを表示するための複数の調整設定内容をメモリ等の格納手段に予め登録しておき、登録された複数の調整設定内容をユーザが読み出し、それらから最適な調整内容を選択するだけで選択された調整内容に基づいた表示を可能とする方法においては、調整内容の読み出し及び選択のための操作についてはユーザが行わなければならないという問題点がある。
【０００６】
また、特許文献１に記載された方法においては、表示されるアプリケーションの種類によって、テキスト、静止画や動画といったレベルで画質モードが設定されるものであって、個々の作品に応じた最適な画質の調整値を設定するものではない。
【０００７】
本発明は、上述したような従来の技術が有する問題点に鑑みてなされたものであって、ユーザが操作することなく映像データを作品毎に最適な画質で投影または表示することができる映像調整システム及び映像調整方法を提供することを目的とする。
【課題を解決するための手段】
【０００８】
上記目的を達成するために本発明は、
記憶媒体にデータとして格納された映像を示す映像データと、該映像データに関する制御データとを用いて映像を再生する際の画質を調整して投影または表示する映像調整システムであって、
前記映像データ及び制御データを前記記憶媒体から読み出すデータ読み出し装置と、
前記データ読み出し装置にて読み出された映像データを前記制御データに含まれる前記映像を識別するための識別データに基づいて前記映像データの画質を調整して投影または表示する映像提示装置とを有する。
【０００９】
また、前記映像提示装置は、前記映像データの画質を調整するための映像調整データが前記識別データと対応付けられて格納される第１のデータ格納手段を有し、前記第１のデータ格納手段に格納された前記映像調整データを前記識別データを検索キーとして取得し、取得された映像調整データに基づいて前記映像データの画質を調整して投影または表示することを特徴とする。
【００１０】
また、前記映像提示装置は、ネットワークを介してサーバと接続し、前記サーバへ前記識別データを送信し、前記サーバから送信されてきた映像調整データに基づいて前記映像データの画質を調整して投影または表示し、
前記サーバは、前記映像調整データが前記識別データと対応付けられて格納される第２のデータ格納手段を有し、前記第２のデータ格納手段に格納された前記映像調整データを前記識別データを検索キーとして取得し、取得された映像調整データを前記映像提示装置へ送信することを特徴とする。
【００１１】
また、記憶媒体にデータとして格納された映像を示す映像データと、該映像データに関する制御データとを前記記憶媒体から読み出すデータ読み出し装置に接続された映像提示装置であって、
前記データ読み出し装置にて読み出された映像データを前記制御データに含まれる前記映像を識別するための識別データに基づいて前記映像データの画質を調整して投影または表示する。
【００１２】
また、前記映像データの画質を調整するための映像調整データが前記識別データと対応付けられて格納される第１のデータ格納手段を有し、前記第１のデータ格納手段に格納された前記映像調整データを前記識別データを検索キーとして取得し、取得された映像調整データに基づいて前記映像データの画質を調整して投影または表示することを特徴とする。
【００１３】
また、記憶媒体にデータとして格納された映像を示す映像データと、該映像データに関する制御データとを用いて映像を再生する際の画質を調整して投影または表示する映像調整システムにおける映像調整方法であって、
前記映像データ及び制御データを前記記憶媒体から読み出す処理と、
前記制御データに含まれる前記映像を識別するための識別データに基づいて前記映像データの画質を調整して投影または表示する処理とを有する。
【００１４】
また、前記識別データに対応付けられた前記映像データの画質を調整するための映像調整データに基づいて前記映像データの画質を調整して投影または表示する処理を有することを特徴とする。
【００１５】
上記のように構成された本発明においては、記憶媒体にデータとして格納された映像を示す映像データと、当該映像データに関する制御データとが記憶媒体から読み出され、読み出された制御データに含まれる映像を識別するための識別データに基づいて映像データの画質が調整されて投影または表示される。
【００１６】
このように、制御データに含まれる映画等の作品固有の識別データに基づいて当該作品の映像データの画質が最適な画質に調整され、画質が調整された映像データが投影または表示されるため、それぞれの作品を鑑賞する都度、ユーザが画質の調整を行う必要が無く、当該作品を表示するに最適な画質で鑑賞することができる。
【発明の効果】
【００１７】
以上説明したように本発明においては、記憶媒体にデータとして格納された映像を示す映像データと、当該映像データに関する制御データとが記憶媒体から読み出し、読み出された制御データに含まれる映像を識別するための識別データに基づいて映像データの画質を調整して投影または表示する構成としたため、ユーザが操作することなく映像データを最適な画質で投影または表示することができる。
【発明を実施するための最良の形態】
【００１８】
以下に、本発明の実施の形態について図面を参照して説明する。
【００１９】
図１は、本発明の映像調整システムの実施の一形態を示す図である。
【００２０】
本形態は図１に示すように、ＤＶＤビデオディスク等の記憶媒体に格納された映画等の作品のデータを読み出し、読み出されたデータを映像データと制御データとに分離するデータ読み出し装置２と、データ読み出し装置２にて分離された映像データの画質を制御データに基づいて調整して当該映像データを提示するプロジェクタ等の映像提示装置３と、映像提示装置３と公衆ネットワーク１を介して接続され、映像提示装置３が提示する映像の画質を調整する調整内容が映像調整データとして格納されているサーバ４とから構成されている。さらに、データ読み出し装置２は、ＤＶＤビデオディスク等の記憶媒体から当該記憶媒体に格納された映画等の作品のデータを読み出す記憶媒体インタフェース部２１と、記憶媒体インタフェース部２１によって読み出されたデータを復号化処理し、復号化されたデータを映像データと制御データとに分離して出力するデータ復号部２２と、データ復号部２２から出力された映像データを入力して映像提示装置３へ送信する映像データインタフェース部２３と、データ復号部２２から出力された制御データを入力して映像提示装置３へ送信する制御データインタフェース部２４とから構成されている。また、映像提示装置３は、データ読み出し装置２から送信された映像データを受信する映像データインタフェース部３１と、データ読み出し装置２から送信された制御データを受信する制御データインタフェース部３２と、制御データインタフェース部３２にて受信された制御データ内に含まれる作品を識別するための識別データと映像の画質を調整するための調整内容である映像調整データとが対応付けられて予め格納されている第１のデータ格納手段であるデータ格納部３３と、制御データインタフェース部３２にて受信された制御データ内に含まれる識別データを抽出し、当該識別データに対応した映像調整データをデータ格納部３３から取得するデータ処理部３４と、映像データインタフェース部３１にて受信された映像データについて、データ処理部３４にて取得された映像調整データに基づいて画質を調整する映像調整部３５と、映像調整部３５にて画質を調整された映像データを外部のスクリーン等に投射する投影部３６と、データ処理部３４にてデータ格納部３３から所望の映像調整データが取得されない場合、公衆ネットワーク１を介してサーバ４から映像調整データを取得するために公衆ネットワーク１へ識別データを送信し、当該識別データに応じた映像調整データを受信するネットワークインタフェース部３７と、ユーザによって画質の調整内容をデータ格納部３３に登録するためのユーザインタフェース部３８とから構成されている。また、サーバ４は、映像提示装置３から公衆ネットワーク１を介して識別データを受信し、当該識別データに応じた映像調整データを送信するネットワークインタフェース部４１と、ネットワークインタフェース部４１にて受信された識別データと映像の画質を調整するための調整内容である映像調整データとが対応付けられて予め格納されている第２のデータ格納手段であるデータ格納部４３と、識別データに対応した映像調整データをデータ格納部４３から取得するデータ処理部４２とから構成されている。
【００２１】
以下に、図１に示した映像調整システムにおける映像調整方法について説明する。
【００２２】
図２は、図１に示した映像調整システムにおける映像調整方法を説明するためのフローチャートである。なお、図２では、データ読み出し装置２における処理と、映像提示装置３における処理と、サーバ４における処理とを点線で分けて示している。
【００２３】
まず、記憶媒体インタフェース部２１によってＤＶＤビデオディスク等の記憶媒体に格納された映画等の作品のデータが読み出されると（ステップＳ１）、読み出されたデータがデータ復号部２２へ出力される。記憶媒体インタフェース部２１から出力されたデータがデータ復号部２２に入力されると、入力されたデータについて復号化処理が行われる（ステップＳ２）。ここでの復号化処理とは、ＤＶＤビデオディスク等の記憶媒体にデータが書き込まれるために圧縮されたデータを解凍したり、暗号化されたデータを解除鍵を用いて解除したりする処理である。そして、復号化されたデータが、映画等の映像自体である映像データとその他映像データを制御するための制御データとに分離され（ステップＳ３）、映像データは映像データインタフェース部２３へ、また、制御データは制御データインタフェース部２４へ出力される。
【００２４】
映像データインタフェース部２３へ出力された映像データは、映像データインタフェース部２３を介して映像提示装置３へ送信され、映像提示装置３内の映像データインタフェース部３１にて受信される。
【００２５】
制御データインタフェース部２４へ出力された制御データは、制御データインタフェース部２４を介して映像提示装置３へ送信される。映像提示装置３へ送信された制御データは、映像提示装置３内の制御データインタフェース部３２にて受信され、受信された制御データの中から作品を識別できる作品固有の識別データがデータ処理部３４によって抽出される。
【００２６】
図３は、図１に示した制御データインタフェース部３２において受信された制御データを示す図である。
【００２７】
図３に示すように制御データ１０１には、先頭にＶＭＧＭ＿ＭＡＴ（Video Manager Information Management）１０２エリアが設けられており、ＶＭＧＭ＿ＭＡＴ１０２にはその作品を識別するための固有の識別子、バージョン情報、データ容量等が含まれている。本例ではこの識別子を識別データとして使用する。なお、識別子とバージョン情報とを組み合わせたり、ＶＭＧＭ＿ＭＡＴ１０２に含まれる他の情報を組み合わせたりすることにより、作品を識別できるデータが生成されるのであれば、そのデータを識別データとして使用するものであっても良い。
【００２８】
データ処理部３４によって識別データが抽出されると、抽出された識別データを検索キーとして当該映像データの画質を調整するための映像調整データがデータ格納部３３にて検索される（ステップＳ４）。
【００２９】
図４は、図１に示したデータ格納部３３に格納されている識別データと映像調整データとの構成の一例を示す図である。
【００３０】
図４に示すようにデータ格納部３３には、識別データと映像調整データとが１対１で対応付けられて予め格納されている。本構成例では、識別データＡと映像調整データαとが、また識別データＢと映像調整データβとが、また識別データＣと映像調整データγとがそれぞれ対応付けられて格納されている。なお、ここでの映像調整データは、映像データの画質を調整できる要素から構成されており、例えば、明るさ、コントラスト、彩度、カラー、色相、シャープネス、ノイズ成分をカットするノイズリダクション、色の配列であるカラーマトリクス、色信号を遅らす機能であるＹ／Ｃディレイ、ＹＴＲ調整、ＣＴＲ調整、入力された映像データについて輝度信号と色差信号とを分離する３ＤＹ／Ｃ分離、インターレース映像をプログレッシブ映像に変換する処理であるデインターレース、輪郭補正、黒伸張、直流伝送率、ガンマ補正、色温度、ホワイトバランス、色補正、アスペクト比、解像度、オーバースキャン、画面位置、画面サイズ、帯域フィルタ、ブランキングや信号レベル調整等が含まれる。また、映像調整データのフォーマットについては限定しない。
【００３１】
ステップＳ４にて検索された結果、データ処理部３４にて抽出された識別データに対応付けられた映像調整データがデータ格納部３３に存在した場合、当該映像調整データがデータ処理部３４によって取得される（ステップＳ５）。
【００３２】
そして、映像調整部３５によって、映像データインタフェース部３１にて受信された映像データについて、データ処理部３４にて取得された映像調整データに基づいて画質が調整され（ステップＳ６）、調整された映像データが投影部３６によってスクリーン等に投影される（ステップＳ７）。
【００３３】
一方、ステップＳ４にて検索された結果、データ処理部３４にて抽出された識別データに対応付けられた映像調整データがデータ格納部３３に存在しない場合は、データ処理部３４から当該識別データがネットワークインタフェース部３７へ出力され、当該識別データが入力されたネットワークインタフェース部３７から当該識別データが公衆ネットワーク１を介してサーバ４へ送信される（ステップＳ８）。このとき、映像提示装置３を識別可能するために映像提示装置３の機種を示す機種番号も識別データと共にサーバ４へ送信される。
【００３４】
サーバ４内のネットワークインタフェース部４１にて識別データ及び機種番号が受信されると、受信された識別データ及び機種番号を検索キーとして、データ処理部４２によって当該映像データの画質を調整するための映像調整データがデータ格納部４３にて検索される（ステップＳ９）。
【００３５】
図５は、図１に示したデータ格納部４３に格納されている機種番号と識別データと映像調整データとの構成の一例を示す図である。
【００３６】
図５に示すようにデータ格納部４３には、機種番号ごとに、識別データと映像調整データとが１対１で対応付けられて予め格納されている。格納されている各データは、ユーザによって予め登録されたものであっても良いし、それぞれの映像提示装置３の製造メーカによって、その機種を使用した場合の最適な画質の調整データが予め登録されたものであっても良い。なお、ここでの映像調整データとは、図４に示した映像調整データと同様である。
【００３７】
ステップＳ９にて検索された結果、識別データ及び機種番号に対応付けられた映像調整データがデータ格納部４３に存在した場合、当該映像調整データがデータ処理部４２によって取得され、取得された映像調整データがネットワークインタフェース部４１から公衆ネットワーク１を介して映像提示装置３へ送信される（ステップＳ１０）。
【００３８】
映像提示装置３へ送信された映像調整データが映像提示装置３内のネットワークインタフェース３７にて受信されると、受信された映像調整データが当該映像調整データを検索するために検索キーとした識別データと対応付けられてデータ処理部３４によってデータ格納部３３内に格納される（ステップＳ１１）。そして、格納された映像調整データに基づいてステップＳ６及びステップＳ７にて説明した処理が行われる。
【００３９】
一方、ステップＳ９にて検索された結果、識別データ及び機種番号に対応付けられた映像調整データがデータ格納部４３に存在しない場合は、データ処理部４２によって該当データが無い旨がネットワークインタフェース部４１及び公衆ネットワーク１を介して映像提示装置３へ送信され（ステップＳ１２）、映像提示装置３内のネットワークインタフェース部３７にて受信される。そして、データ処理部３４によって、サーバ４内のデータ格納部４３に該当データが存在しない旨がユーザに通知される（ステップＳ１３）。通知の方法としては、映像提示装置３に警告等を表示する表示手段を設けておき、設けられた表示手段にその旨が表示されるものであっても良いし、映像提示装置３に音を発する手段を設けておき、所定の音を発することにより通知されるものであっても良く、ユーザが認識できるものであれば良い。
【００４０】
その後、ユーザによってユーザインタフェース部３８を用いて当該映像データの画質が調整されると（ステップＳ１４）、調整された調整内容が映像調整データとして当該映像データの識別データに対応付けられてデータ格納部３３に格納される（ステップＳ１５）。格納された映像調整データは、次回以降当該作品を鑑賞するときに使用できる。
【００４１】
なお、データ格納部３３及びデータ格納部４３に格納されているデータについては、データ格納部３３及びデータ格納部４３内部に管理機能を設け、一定の期間を設定し、その期間において利用頻度が低かったり、利用が全く無い場合には、データ格納部３３及びデータ格納部４３から削除されることにより、データ格納部３３及びデータ格納部４３の容量を有効に利用するものであっても良い。
【００４２】
また、映像提示装置３は、投影部３６を用いてスクリーン等に映像データを投影する場合を例に挙げて説明したが、自身に映像データを表示するための画面を有するディスプレイ等であっても良い。
【００４３】
また、データ読み出し装置２から映像提示装置３へ送信される映像データ及び制御データが、アナログ信号であっても、またデジタル信号であっても良い。
【００４４】
また、ステップＳ１４にて説明したユーザによる設定内容が、公衆ネットワーク１を介してサーバ４内のデータ格納部４３にアップロードできるものであっても良い。
【００４５】
さらに、データ格納部３３，４３に予め格納されるデータについては、映像供給会社と映像提示装置３の製造メーカとからユーザに対して無料または有料で提供されるものであっても良い。
【図面の簡単な説明】
【００４６】
【図１】本発明の映像調整システムの実施の一形態を示す図である。
【図２】図１に示した映像調整システムにおける映像調整方法を説明するためのフローチャートである。
【図３】図１に示した映像提示装置内の制御データインタフェース部において受信された制御データを示す図である。
【図４】図１に示した映像提示装置内のデータ格納部に格納されている識別データと映像調整データとの構成の一例を示す図である。
【図５】図１に示したサーバ内のデータ格納部に格納されている機種番号と識別データと映像調整データとの構成の一例を示す図である。
【符号の説明】
【００４７】
１    公衆ネットワーク
２    データ読み出し装置
３    映像提示装置
４    サーバ
２１    記憶媒体インタフェース部
２２    データ復号部
２３，３２    映像データインタフェース部
２４，３４    制御データインタフェース部
３３，４３    データ格納部
３４，４２    データ処理部
３５    映像調整部
３６    投影部
３７，４１    ネットワークインタフェース部
３８    ユーザインタフェース部
１０１    制御データ
１０２    ＶＭＧＭ＿ＭＡＴ
【図１】
2006349934.tif 000003
【図２】
2006349934.tif 000004
【図３】
2006349934.tif 000005
【図４】
2006349934.tif 000006
【図５】
2006349934.tif 000007